(57)【要約】【課題】無端状の一枚のろ布を折り返してろ過空間を形成することで、サイドリークの発生しないベルトプレスを提供する。【解決手段】無端状の一枚のろ布３を複数のローラー２…に走行自在に掛け回したベルトプレス１において、ろ布３を下方へ押圧してＵ型の底部を形成させる押圧ローラー１１と、押圧ローラー１１の両側方でろ布３の幅方向両端を折り曲げてＵ型の両側面を形成するガイドローラー１２と、Ｕ型に折り曲がったろ布３の幅方向両端を重ね合わせるように汚泥供給側に折り曲げる複数のガイド棒１３と、を有することで、ろ布３を滑らかに折り返し、汚泥をろ布３で包むようにして脱水することができるためサイドリークが発生しない。【選択図】図４
2016073929.tif 000002
【特許請求の範囲】
【請求項１】
無端状の一枚のろ布（３）を複数のローラー（２…）に走行自在に掛け回したベルトプレス（１）において、
ろ布（３）を下方へ押圧してＵ型の底部を形成させる押圧ローラー（１１）と、
押圧ローラー（１１）の両側方でろ布（３）の幅方向両端を折り曲げてＵ型の両側面を形成するガイドローラー（１２）と、
Ｕ型に折り曲がったろ布（３）の幅方向両端を重ね合わせるように汚泥供給側に折り曲げる複数のガイド棒（１３）と、を有する
ことを特徴とするベルトプレスのろ布折り装置。
【請求項２】
前記押圧ローラー（１１）の下流側、且つガイド棒（１３）の上流側に、汚泥を供給するホッパー（４）を配設したことを特徴とする請求項１に記載のベルトプレスのろ布折り装置。
【請求項３】
前記ガイド棒（１３）は、ろ布（３）の側方からろ布（３）上方に向かって延設したことを特徴とする請求項１又は請求項２に記載のベルトプレスのろ布折り装置。
【請求項４】
前記ガイド棒（１３）の下流側に１以上のガイド輪（２４）を配設し、
ガイド輪（２４）は、ろ布（３）下方から側方に沿ってろ布（３）上方まで延設した回転軸（２５）と、
回転軸（２５）に軸着した複数の回転体（２６）とで構成した
ことを特徴とする請求項１乃至請求項３の何れか一項に記載のベルトプレスのろ布折り装置。
【請求項５】
前記ろ布（３）下方の回転軸（２５）には、ろ布（３）の幅と同等幅の回転体（２６）を軸着した
ことを特徴とする請求項４に記載のベルトプレスのろ布折り装置。
【発明の詳細な説明】
【技術分野】
【０００１】
この発明は、走行自在に掛け回した無端状の一枚のろ布を、幅方向に折り返すことによってろ過空間を形成するベルトプレスに関する。
【背景技術】
【０００２】
従来から、二枚の無端状のろ布を複数のローラーで走行自在に掛け回し、二枚のろ布で挟み込んだ汚泥を、ろ布の張力と加圧ローラーによる圧搾力によって脱水するベルトプレスが用いられている。
その他、特許文献１には、無端状の一枚のろ布を、ろ布の進行方向に対して垂直に二つ折り状に保持し、二つ折りした部分に汚泥を供給して加圧ローラーで脱水するベルトプレスが開示されている。
【０００３】
また、特許文献２には、諸味を圧搾する装置で、三つ折りにしたろ布に諸味を包んで圧搾する諸味揚槽方法が開示されている。
同様に、特許文献３には、諸味を三つ折りにしたろ布で包んで圧搾する装置で、ろ布を三つ折りに畳む装置が開示されている。
【先行技術文献】
【特許文献】
【０００４】
【特許文献１】特開昭５８−５０１９７
【特許文献２】特公昭４６−２８１５２
【特許文献３】特公昭４６−２２５５７
【発明の概要】
【発明が解決しようとする課題】
【０００５】
従来の二枚のろ布を用いたベルトプレスや、特許文献１に開示されたベルトプレスの脱水部においては、汚泥の含水率が高い、又は供給量が多い、高圧力を加えて圧搾した場合などに、汚泥の一部が縦方向及び横方向に逃げる。ここで縦方向とはろ布の進行方向を示し、横方向とはろ布のろ過面上で、進行方向に対し直角方向（幅方向）を示す。
【０００６】
従来の無端状のろ布を用いるベルトプレスは、二枚のろ布を上下に重ねる、又は一枚のろ布を二つ折りにし、ろ布の間にろ過空間を形成している。このようにろ過空間を形成した場合、ろ過空間を形成するろ布は、外部からの押圧により変形したろ過空間の長手方向の両端又は一端で、常に断裂し不連続となっている。従って、ろ布の合わせ面が内部からの圧力で容易に開放する。
よって、脱水時に外部から圧力を掛け、ろ過空間の汚泥が横方向へ逃げた場合に、サイドリークが発生し汚泥がろ布の端部からはみ出す恐れがあった。
これらのことからベルトプレスは、圧搾の圧力に制限されることが多く、脱水ケーキ含水率等で他の脱水機に劣ることもしばしばあった。
【０００７】
また、特許文献２、特許文献３には、諸味を三つ折りにしたろ布に包んで圧搾する技術が開示されているが、三つ折りにしたろ布をさらに畳んで積み重ね、プレスすることで圧搾する装置となっており、連続的にろ布を折り、圧搾するものではない。
【課題を解決するための手段】
【０００８】
無端状の一枚のろ布を複数のローラーに走行自在に掛け回したベルトプレスにおいて、ろ布を下方へ押圧してＵ型の底部を形成させる押圧ローラーと、押圧ローラーの両側方でろ布の幅方向両端を折り曲げてＵ型の両側面を形成するガイドローラーと、Ｕ型に折り曲がったろ布の幅方向両端を重ね合わせるように汚泥供給側に折り曲げる複数のガイド棒と、を有することで、無端状の一枚のろ布を滑らかに折り返し、ろ過空間を形成しながらろ布を走行させることができる。
【０００９】
前記押圧ローラーの下流側、且つガイド棒の上流側に、汚泥を供給するホッパーを配設したことで、Ｕ型のろ布に供給した汚泥は外部へ流出することがない。
【００１０】
前記ガイド棒は、ろ布の側方からろ布上方に向かって水平に延設したことで、Ｕ型のろ布の両側端部を汚泥供給側へ折り返すことができる。
【００１１】
前記ガイド棒の下流側に１以上のガイド輪を配設し、ガイド輪は、ろ布下方から側方に沿ってろ布上方まで延設した回転軸と、回転軸に軸着した複数の回転体とで構成したことで、ろ過空間の側面を支持し、ろ過空間上方ではろ布の展開を防止している。
【００１２】
前記ろ布下方の回転軸には、ろ布の幅と同等幅の回転体を軸着したことで、ろ過空間を下方から支持し、下方への撓みを防止する。
【発明の効果】
【００１３】
本発明の折り装置を用いることで、無端状の一枚のろ布を滑らかに折り返し、ろ過空間を形成しながらろ布を走行させることができる。ろ布を折りながらろ過空間に汚泥を供給し、無端状に掛け回したろ布を走行させることで、連続的な脱水が行える。また、折り装置はろ布を折る位置を容易に決定でき、様々なろ布の折り方に対応できる。
【００１４】
本発明の折装置を用いたベルトプレスはろ過空間の両側方端部を、ろ布を折り返すことでろ過空間を形成しているため、サイドリークを発生させない。折り返したろ布同士を重ねることでろ過空間を形成し、シールとするため、重なり合ったろ布のシールは、外部からの押圧を加えることでより強固なものとなる。サイドリークが発生しないことから、汚泥の供給量を増やすことや、より強い圧力で脱水することが可能となる。
また、ろ過室をシールするための特別な機器を必要としない。さらに、無端状のろ布を走行させながら脱水を行うため、連続的に脱水を行うことが出来る。
【図面の簡単な説明】
【００１５】
【図１】本発明に係るベルトプレスの概略側面図である。
【図２】同じく、折り装置で折られたろ布の概略図である。
【図３】同じく、折り装置で折られたその他のろ布の概略図である。
【図４】同じく、ろ布の折り装置の平面図である。
【図５】同じく、ろ布の折り装置の側面図である。
【図６】同じく、折り装置のガイド輪の断面図である。
【図７】同じく、展開ローラーに巻き掛けたろ布の平面図である。
【発明を実施するための形態】
【００１６】
本発明は、走行自在に掛け回した無端状の一枚のろ布を折り返してろ過空間を形成し、ろ過空間に汚泥を供給して脱水を行うベルトプレスである。
図１は本発明に係るベルトプレスの概略側面図である。
本発明のベルトプレス１は、複数のローラー２…と、該複数のローラー２…に掛け回して走行自在とした無端状の一枚のろ布３と、ろ布３上に汚泥を供給するホッパー４と、ろ布３の幅方向の両側方から汚泥供給側にろ布３を折り返し、折り返したろ布３を重ね合わせてろ過空間５を形成する折り装置６と、折り返したろ布３を巻き掛けるせん断ロール７と、折り返したろ布３を展開する展開ローラー８と、を備える。
【００１７】
複数のローラー２…に掛け回された無端状の一枚のろ布３は、折り装置６により幅方向の両端が折り返される。無端状のろ布３が汚泥を受け入れるよう、折り装置６はろ布３の両端を進行方向（縦方向）に折りながら汚泥をホッパー４より供給する。従って、折り返す過程で、ろ布３両端を折り、ろ布３断面がＵ型となったところでろ布３上に汚泥を供給する。折り装置６によりろ布３を折り返し、ろ布３両端を重ね合わせることでろ過空間５を形成し、供給された汚泥がろ布３で包まれる。ろ過空間５に汚泥を供給したろ布３はせん断ロール７に巻き掛けることで汚泥を脱水する。脱水後、展開ローラー８により折られたろ布３を展開し、脱水ケーキは剥離装置により排出される。
【００１８】
図２は本発明に係る折り装置で折られたろ布の概略図である。
図２（ａ）に示す無端状のろ布３は、幅方向の両側端から１／３幅の箇所を、何れもろ布３進行方向に延びかつ汚泥供給側に折り返す折り部９ａ、９ｂとする。まず、前記１／３幅の箇所の一方の折り部９ａで１／３幅の部分（折り面１０ａ）が内側に折り返され、次いで前記１／３幅の箇所の他方の折り部９ｂで１／３幅の部分（折り面１０ｂ）が内側に折り返される。従って、ろ布３は折り面１０ａ、１０ｂがそれぞれ内側で重なるように折り返されて三つ折りとなり、三つ折りの内部にろ過空間５を形成する。
【００１９】
ろ布３を折り返すことで、圧力により変形するろ過空間５の長手方向の両端をろ布３の折り部９ａ、９ｂで形成するため、三つ折りのろ布３で形成したろ過空間５の両端は断裂しておらず、サイドリークが発生しない。
また、折り返したろ布３の折り面１０ａ、１０ｂが重なり、ろ過空間５をシールする。外部から加圧することで、折り面１０ａ、１０ｂの重なり部分のシールの強度は大きくなるため、折り面１０ａ、１０ｂの重なり部分から汚泥が漏れ出ることはない。
本発明の実施例では三つ折りのろ布３を用いているが、他の折り方でも本発明の効果が得られる。
【００２０】
図２（ｂ）に示す無端状のろ布３は、幅方向の両側から１／４幅よりやや中央側の箇所を、何れも汚泥供給側に折り返す折り部９ａ、９ｂとしている。まず前記１／４幅よりやや中央側の折り部９ａから折り面１０ａが内側に折り返され、次いで前記１／４幅よりやや中央側の折り部９ｂから他方の折り面１０ｂが内側に折り返される。折り部９ａ、９ｂは、両側から１／４幅よりやや中央側の箇所を折り返しているため、折り返した際には折り面１０ａ、１０ｂがそれぞれ重なり、内部にろ過空間５を形成する。
【００２１】
なお、折り返したろ布３の両端が重なれば本発明の作用効果が得られることから、一方を１／４幅の箇所で内側に折り、他方を１／４幅の箇所よりやや中央側の箇所で内側に折る事でも本発明の作用効果を得られる。従って、少なくともいずれか一方の折り部９ａ、９ｂを１／４幅の箇所よりやや中央側とすればよい。また、折り面１０ａ、１０ｂの重なり部で、ろ布両端のどちらを上下にするかは問わない。
【００２２】
ろ布３を折り返すことで、圧力により変形するろ過空間５の長手方向の両端をろ布３の折り部９ａ、９ｂで形成しており、ろ過空間５の両端は断裂していないため、サイドリークが発生しない。
また、折り返したろ布３の折り面１０ａ、１０ｂが重なり、ろ過空間５をシールする。外部から加圧することで、折り面１０ａ、１０ｂの重なり部分のシールの強度は大きくなるため、折り面１０ａ、１０ｂの重なり部分から汚泥が漏れ出ることはない。三つ折りに比べ、折り面１０ａ、１０ｂの重なる面積が小さいため、有効ろ過面積を広くとることができる。
【００２３】
上述するように、無端状のろ布３は幅方向の両側端を、両側端から１／４幅を超え、１／３幅以下の箇所を折り返すことで、ろ過空間５を形成することが出来る。
【００２４】
図３は本発明に係る折り装置で折られたその他のろ布概略図である。
図２に示すろ布の他、図３（ａ）に示すように、無端状のろ布３の、幅方向中央を折り部９ａとして折り面１０ａを折り返し、さらにろ布３両端を重ねて折り部９ｂから折り面１０ｂを折り返すことで、内部にろ過空間５を形成することも可能である。
【００２５】
また、図３（ｂ）のように、ろ布３の幅方向両端で、ろ布３の一方を、幅方向の一端から１／３幅以上、１０幅未満の箇所を折り部９ａとして折り面１０ａを折り返し、ろ布３の他方を、幅方向の他端から１／４幅以下の箇所を折り部９ｂとして折り面１０ｂを折り返しても、ろ布３の折り面１０ａ、１０ｂが重なるように折り返せばろ過空間５を形成することができる。
【００２６】
上述するように、本発明のろ布３の折り方には多様な形態が考えられ、何れも、無端状の一枚のろ布３を、幅方向の両端を汚泥供給側に折り返し、ろ布３の折り面１０ａ、１０ｂを重ね合わせることでろ過空間５を形成する。無端状のろ布３は、外部からの圧力で変形するろ過空間５の長手方向の両端を、ろ布３の折り部９ａ、９ｂで形成することで、サイドリークの発生を防いでいる。そして、折り返した無端状のろ布３の折り面１０ａ、１０ｂは、互いに一部が重なることでろ過空間５のシールの役割を果たす。シール性を高くするためには、ろ布３折り面１０ａ、１０ｂの重なる面積を増やせばよい。また、ろ布３折り面１０ａ、１０ｂの重なる箇所をさらに折り返すことでもシール性は向上する。
【実施例】
【００２７】
本願発明のろ布３の折り装置６は、複数のガイドを配設することで、走行するろ布３を折り曲げる。本実施例ではろ布３を三つ折りにする折り装置６を用いる。
【００２８】
図４は、本発明に係るろ布の折り装置の平面図である。
図５は、本発明に係るろ布の折り装置の側面図である。
図４、５に示すように、本発明の折り装置６は、ろ布３をＵ型に折り曲げる押圧ローラー１１とガイドローラー１２、ろ布３を水平に案内するガイド棒１３ａ、１３ｂで構成されている。また、Ｕ型に折り曲げられたろ布３内へ汚泥を供給できる位置にホッパー４を配設している。
【００２９】
折り装置６で折り曲げられるろ布３は、汚泥が漏れ出ないように押圧ローラー１１によってＵ型に形成されている。押圧ローラー１１の幅はろ布３の折り返し幅と等しく、押圧ローラー１１でろ布３上面中央部を下方に押圧してろ布３をＵ型に形成する。従って、押圧ローラー１１はＵ型の底部を形成させる。
本実施例の押圧ローラー１１は一対のローラーを支柱の下端両側面に軸着して配設している。
また同時に、ろ布３の両端は、押圧ローラー１１の両側面に垂直に配設されたガイドローラー１２によって折り曲げられ、Ｕ型の側面が形成される。押圧ローラー１１の下流側では汚泥を供給するためのホッパー４が走行するろ布３に向かって垂下されており、連続して汚泥を供給する。
【００３０】
前記ガイドローラー１２に沿って両側面が垂直となったろ布３は、ホッパー４の配設位置より下流側の、水平に固定された複数のガイド棒１３によって汚泥供給側に折り曲げられる。
一方の垂直になったろ布３側端部をガイド棒１３ａの底部で汚泥供給側に折り曲がるよう案内する。また、ガイド棒１３ａからろ布３下方に向けて分岐したガイド棒１３ａ’の上部で、汚泥が供給されたろ布３が撓まないよう支持している。このように、ろ布３はガイド棒１３ａ、１３ａ’に挟持されるように案内される。
ガイド棒１３ａの下流側に、一方の垂直になったろ布３（一方の折り面１０ａ）が水平に折り曲がるよう案内するガイド棒１３ａ”を配設する。ガイド棒１３ａ”は、ろ布３の一端縁まで水平に案内できるだけの長さを備える。
このようにガイド棒１３ａ、１３ａ’、１３ａ”を配設することで、ろ布３の一方の折り面１０ａは滑らかに折り曲げられる。
【００３１】
他方の垂直になったろ布３（他方の折り面１０ｂ）は、外側に傾倒しないよう、Ｕ型のろ布３側端部に沿って垂直に配設されたガイド棒１３ｂで支持する。
ガイド棒１３ｂの下流側には、ろ布３の他端を汚泥供給側に折り曲がるよう、ガイド棒１３ｂ’を水平に配設する。
【００３２】
上記ガイド棒１３ａ、１３ａ’、１３ａ”、１３ｂ、１３ｂ’の下流側には、折り曲げたろ布３の両端を水平に案内し、且つ幅方向に支持するガイド輪２４を配設してもよい。
図６は、本発明に係る折り装置のガイド輪の断面図である。
ガイド輪２４は、回転軸２５と、回転軸２５に軸着した複数の回転体２６とで構成される。回転軸２５は、ろ布３の下方からろ布３の一端に沿うように配設され、ろ布３の上方まで延設する。
【００３３】
図４、５に示すように、ガイド輪２４ａは、ろ布３の折り部９ａが形成するろ過空間５の一方側面を支持し、ろ過空間５上方ではろ布３両端の重なりが開かないようにろ布３両端を覆っている。
ガイド輪２４ｂは、ろ布３の折り部９ｂが形成するろ過空間５の他方側面を支持し、ろ過空間５上方ではろ布３両端の重なりが開かないようにろ布３両端を覆っている。
なお、図６のように、ろ布３の底部では、ろ布３の幅と同等の幅を有する回転体２６ａ、２６ｂを用いることで、汚泥を包んだろ布３が下方へ撓むことを防いでもよい。
【００３４】
このような折り装置６でろ布３を案内することで、ろ布３が走行しながら三つ折りとなり、汚泥を内部に包み込む。
上述する折り装置６はろ布３の三つ折りだけでなく、複数のガイドを適切に配設することで、多様なろ布３の折り方に対応できる。
【００３５】
図１に示すように、折り装置６によって汚泥を包んだろ布３は、せん断ロール７に巻き掛けることで汚泥を脱水している。せん断ロール７はろ布３を巻き掛けて走行させることで、ろ過空間５内の汚泥に面圧を加え、更に内側を走行するろ布３と外側を走行するろ布３の走行速度の差からせん断力を与えて脱水する。せん断ロール７だけでなく、加圧ベルトや加圧ロールにより、外部からの高圧力を加えることで脱水も可能である。ろ布３が三つ折りでサイドリークを防止しているため、加圧は高圧となってもサイドリークを発生させることはない。
【００３６】
図７は、本発明に係る展開ローラーに巻き掛けたろ布の平面図である。
複数のせん断ロール７に巻き掛けられたろ布３は、展開ローラー８にて三つ折りとなったろ布３が展開され、剥離装置によって脱水ケーキが排出される。三つ折りになったろ布３を展開して展開ローラー８に巻き掛けて走行させることで、三つ折りになっていたろ布３がせん断ロール７から展開ローラー８の間で自然に展開する。
高圧で脱水した脱水ケーキは剥離性が良いため、剥離装置として配設した剥離ローラーにろ布３を巻き掛けること等で、脱水ケーキを容易に剥離できる。本実施例では、展開ローラー８を剥離ローラーとして用いている。
【産業上の利用可能性】
【００３７】
本発明のベルトプレスは、無端状の一枚のろ布を折り返してろ過空間を形成するための折り装置を備えるため、ろ布を滑らかに折ることができる。ろ過空間は両端を折り面で形成しているため、サイドリークが発生しない。そのため、従来ではサイドリークが原因で実施できないような高圧の脱水をも行うことが可能となる。本発明は、ろ布を折り返してろ過空間を形成する様々な形態のベルトプレスに用いることができる。
【符号の説明】
【００３８】
１  ベルトプレス
２  ローラー
３  ろ布
４  ホッパー
６  折り装置
１１  押圧ローラー
１２  ガイドローラー
１３ａ、１３ｂ  ガイド棒
２４  ガイド輪
２５  回転軸
２６  回転体
【図１】
2016073929.tif 000003
【図２】
2016073929.tif 000004
【図３】
2016073929.tif 000005
【図４】
2016073929.tif 000006
【図５】
2016073929.tif 000007
【図６】
2016073929.tif 000008
【図７】
2016073929.tif 000009